(57)【要約】      （修正有）【課題】手動で切り替えなくても使用態様に応じた適切な照明の照度を確保できる照明付き鏡装置を提供する。【解決手段】鏡体２３と、照明装置３とを備えた照明付き鏡装置である。この照明付き鏡装置は、使用者の位置を検知する位置検知手段７と、この位置検知手段７の検知信号に基づいて照明装置３を制御し、これにより照明装置３から発せられる光の照度を変化させる制御装置とを備えている。制御装置は、使用者が鏡体２３に近付くほど、光の照度を上げるよう照明装置３を制御する。【選択図】図１
2013255687.tif 000002
【特許請求の範囲】
【請求項１】
前面に鏡面を有する鏡体と、
前記鏡体の前方又は前記鏡面に向かって光を発する照明装置と
を備えた照明付き鏡装置であって、
使用者の位置を検知する位置検知手段と、
この位置検知手段の検知信号に基づいて前記照明装置を制御しこれにより当該照明装置から発せられる光の照度を変化させる制御装置と
を備え、
前記制御装置は、前記使用者が前記鏡体に近付くほど、光の照度を上げるよう前記照明装置を制御する
ことを特徴とする照明付き鏡装置。
【請求項２】
前記照明装置は、上下方向に長く形成されて前記鏡体の前方に向かって発光する複数の発光部を有しており、
この発光部が、前記鏡体の中央を挟むよう左右方向に離間して配置されている
ことを特徴とする請求項１記載の照明付き鏡装置。
【請求項３】
前記照明装置は、
上下方向に長く形成され且つ前記鏡体の中央を挟むよう左右方向に離間して配置され前記発光部を構成する複数の導光部材と、
各導光部材に対応するよう設けられた発光体と
を有しており、
前記導光部材は、
長手方向の一端面に設けられて前記発光体から発せられた光が入射する入射面と、
背面側に設けられ前記入射面から入射した光を拡散させる光拡散部と、
正面側に設けられ前記光拡散部により拡散した光が出射する出射面と
を有しており、
前記制御装置は、前記発光体を制御することで前記照明装置から発せられる光の照度を変化させるものである
ことを特徴とする請求項２記載の照明付き鏡装置。
【請求項４】
前記照明装置は、
第１の照度から当該第１の照度よりも照度の大きい第２の照度へと切り替え可能となっており、
前記制御装置は、
前記使用者が所定の位置よりも前記鏡体に近づくと、前記第１の照度から前記第２の照度へと切り替えるよう前記照明装置を制御する
ことを特徴とする請求項１乃至請求項３のいずれか一項に記載の照明付き鏡装置。
【請求項５】
開閉自在な扉体が前面に設けられたキャビネットを備えており、
前記鏡体は、前記扉体の前面に設けられている
ことを特徴とする請求項１乃至請求項４のいずれか一項に記載の照明付き鏡装置。
【請求項６】
洗面ボウルを備えており、
前記洗面ボウルの前端は、前記鏡体の鏡面よりも前方に位置している
ことを特徴とする請求項１乃至請求項５のいずれか一項に記載の照明付き鏡装置。
【発明の詳細な説明】
【技術分野】
【０００１】
本発明は、照明付き鏡装置に関する。
【背景技術】
【０００２】
従来、照明付き鏡装置が知られている（例えば特許文献１参照）。この特許文献１には洗面化粧台が開示されている。この特許文献１記載の洗面化粧台は、三面鏡と、照明灯と、照度センサと、制御用回路とを備えている。照度センサは、三面鏡の前方の照度を検出する。制御用回路は、照度センサの検出信号に基づいて照明灯を制御する。制御用回路は、照度センサの検出信号に基づいて照明灯を制御し、これにより照明灯の照度を変化させる。
【０００３】
この洗面化粧台は、照度設定切り替えスイッチを備えている。照度設定切り替えスイッチは、洗面を行なう場合のスイッチ（以下、洗面スイッチという）と、化粧を行なう場合のスイッチ（以下、化粧スイッチという）とを備えている。照度設定切り替えスイッチは、これらスイッチのうち、いずれかに切り替えることができるようになっている。
【０００４】
制御用回路は、洗面スイッチに切り替えられると、洗面を行うのに適した設定照度を記憶部から読み出し、この設定照度と照度センサの検出信号とに基づいて照明灯を発光させる。また、制御用回路は、化粧スイッチに切り替えられると、化粧を行うのに適した設定照度を記憶部から読み出し、この設定照度と照度センサの検出信号とに基づいて照明灯を発光させる。
【先行技術文献】
【特許文献】
【０００５】
【特許文献１】特開平５−１７４９７７号公報
【発明の概要】
【発明が解決しようとする課題】
【０００６】
ところで、この特許文献１記載の洗面化粧台は、照度に応じて照明灯の照度を変化させることで、使用態様に応じた適切な照度を確保しようとするものである。
【０００７】
しかしながら、ユーザーは、この照度設定切り替えスイッチを手動で操作する必要がある。このため、あるユーザーが照度設定切り替えスイッチを化粧スイッチに切り替えて化粧を行った後、別のユーザーが洗面を行なう場合、この別のユーザーは、洗面スイッチに切り替えるのを忘れて、洗面を行ってしまうことがある。また、あるユーザーが、照度設定切り替えスイッチを洗面スイッチに切り替えて洗面を行った後、別のユーザーが化粧を行なう場合、この別のユーザーは、化粧スイッチに切り替えるのを忘れて、化粧を行ってしまうことがある。
【０００８】
本発明は、上記事情に鑑みてなされたものであり、その目的とするところは、手動で切り替えなくても使用態様に応じた適切な照明の照度を確保できる照明付き鏡装置を提供することにある。
【課題を解決するための手段】
【０００９】
本発明の照明付き鏡装置は、前面に鏡面を有する鏡体と、前記鏡体の前方又は前記鏡面に向かって光を発する照明装置とを備えた照明付き鏡装置であって、使用者の位置を検知する位置検知手段と、この位置検知手段の検知信号に基づいて前記照明装置を制御しこれにより当該照明装置から発せられる光の照度を変化させる制御装置とを備え、前記制御装置は、前記使用者が前記鏡体に近付くほど、光の照度を上げるよう前記照明装置を制御することを特徴とする。
【００１０】
またこの照明付き鏡装置において、前記照明装置は、上下方向に長く形成されて前記鏡体の前方に向かって発光する複数の発光部を有しており、この発光部が、前記鏡体の中央を挟むよう左右方向に離間して配置されていることが好ましい。
【００１１】
またこの照明付き鏡装置において、前記照明装置は、上下方向に長く形成され且つ前記鏡体の中央を挟むよう左右方向に離間して配置され前記発光部を構成する複数の導光部材と、各導光部材に対応するよう設けられた発光体とを有しており、前記導光部材は、長手方向の一端面に設けられて前記発光体から発せられた光が入射する入射面と、背面側に設けられ前記入射面から入射した光を拡散させる光拡散部と、正面側に設けられ前記光拡散部により拡散した光が出射する出射面とを有しており、前記制御装置は、前記発光体を制御することで前記照明装置から発せられる光の照度を変化させるものであることが好ましい。
【００１２】
またこの照明付き鏡装置において、前記照明装置は、第１の照度から当該第１の照度よりも照度の大きい第２の照度へと切り替え可能となっており、前記制御装置は、前記使用者が所定の位置よりも前記鏡体に近づくと、前記第１の照度から前記第２の照度へと切り替えるよう前記照明装置を制御することが好ましい。
【００１３】
またこの照明付き鏡装置において、開閉自在な扉体が前面に設けられたキャビネットを備えており、前記鏡体は、前記扉体の前面に設けられていることが好ましい。
【００１４】
またこの照明付き鏡装置において、洗面ボウルを備えており、前記洗面ボウルの前端は、前記鏡体の鏡面よりも前方に位置していることが好ましい。
【発明の効果】
【００１５】
本発明の照明付き鏡装置は、例えば、使用者が化粧を行なう場合等、鏡面に顔を近づけると、使用者が顔の細部まではっきり見たいものと判断して、照度を上げて照明を行なう。すなわち、本発明の照明付き鏡装置によれば、手動で切り替えなくても使用態様に応じた適切な照明の照度を確保することができる。
【図面の簡単な説明】
【００１６】
【図１】本実施形態の照明付き鏡装置の斜視図である。
【図２】本実施形態の照明装置であり（ａ）は側面図であり、（ｂ）は背面図である。
【図３】本実施形態の制御装置のブロック図である。
【発明を実施するための形態】
【００１７】
以下、本発明の実施形態について添付図面に基づいて説明する。
【００１８】
本実施形態の照明付き鏡装置は、洗面化粧台１である。洗面化粧台１は、図１に示されるように、ミラーキャビネット２２と、照明装置３と、洗面ボウル５と、下部キャビネット６と、制御装置４（図３参照）と、位置検知手段７とを備えている。
【００１９】
ミラーキャビネット２２は、キャビネット２１と、扉体２２と、鏡体２３とを備えている。キャビネット２１は、背板２１０と、天板２１１と、側板２１２と、底板２１３とを備えている。キャビネット２１は、前方に向かって開口している。キャビネット２１は、内部に収納部（図示せず）を有している。収納部は、複数設けられている。収納部は、前方に向かって開口している。収納部には、歯ブラシや小物等の収納物が収納される。
【００２０】
扉体２２は、キャビネット２１の前方に開閉自在に取り付けられている。扉体２２は、キャビネット２１の開口を閉塞するよう取り付けられている。扉体２２は、第１の扉部２２１と、第２の扉部２２２と、第３の扉部２２３とを備えている。
【００２１】
第１の扉部２２１は、正面視左側に配置されている。第１の扉部２２１は、上下方向に長さを有する。第１の扉部２２１は、左右方向に幅を有している。第１の扉部２２１は、幅方向において正面視右側の端部に軸部（図示せず）を有している。第１の扉部２２１は、軸部を介してキャビネット２１に軸支されている。
【００２２】
第２の扉部２２２は、正面視において左右方向の中央に配置されている。第２の扉部２２２は、上下方向に長さを有する。第２の扉部２２２は、左右方向に幅を有している。第２の扉部２２２は、幅方向において正面視左側の端部に軸部（図示せず）を有している。第２の扉部２２２は、軸部を介してキャビネット２１に軸支されている。第２の扉部２２２の幅は、第１の扉部２２１の幅よりも長い。また、第２の扉部２２２の幅は、第３の扉部２２３の幅よりも長い。さらに、第２の扉部２２２の長さは、第１の扉部２２１の長さ及び第３の扉部２２３の長さと略同じ長さである。
【００２３】
第３の扉部２２３は、正面視右側に配置されている。第３の扉部２２３は、上下方向に長さを有する。第３の扉部２２３は、左右方向に幅を有している。第３の扉部２２３は、幅方向において正面視左側の端部に軸部（図示せず）を有している。第３の扉部２２３は、軸部を介してキャビネット２１に軸支されている。
【００２４】
鏡体２３は、前面に鏡面２４を有している。鏡体２３は、板状である。鏡体２３は、扉体２２の前面に設けられている。例えば、鏡体２３は、扉体２２の前面に接着により固定される。鏡体２３は、第一鏡２３１と、第二鏡２３２と、第三鏡２３３とを備えている。これにより、本実施形態の鏡体２３は、いわゆる三面鏡を構成する。
【００２５】
第一鏡２３１は、上下方向に長さを有する。第一鏡２３１は、左右方向に幅を有する。第一鏡２３１は、第１の扉部２２１の前面に固定される。第一鏡２３１は、サイドミラーを構成する。第二鏡２３２は、上下方向に長さを有する。第二鏡２３２は、左右方向に幅を有する。第二鏡２３２は、第２の扉部２２２の前面に固定される。第二鏡２３２は、センターミラーを構成する。第三鏡２３３は、上下方向に長さを有する。第三鏡２３３は、左右方向に幅を有する。第三鏡２３３は、第３の扉部２２３の前面に固定される。第三鏡２３３は、サイドミラーを構成する。
【００２６】
照明装置３は、鏡体２３の前方に向かって光を発する。これにより、照明装置３は、使用者を照らす。照明装置３は、棒状に形成されている。照明装置３の長手方向は、上下方向に略平行となっている。言い換えると、照明装置３は、上下方向に長く形成されており、線状に光を発する。照明装置３は、第１の照明具３１と、第２の照明具３２とを備えている。第１の照明具３１は、第１の扉部２２１と第２の扉部２２２との間に配置されている。また、第２の照明具３２は、第２の扉部２２２と第３の扉部２２３との間に配置されている。第１の照明具３１と、第２の照明具３２とは、同じ構造である。
【００２７】
第１の照明具３１及び第２の照明具３２は、図２に示されるように、それぞれ、発光体３３と、導光部材３４とを備えている。導光部材３４は、上下方向に長さを有している。導光部材３４は、左右方向に幅を有している。また導光部材３４は、前後方向に厚みを有している。導光部材３４は、第１の照明具３１及び第２の照明具３２にそれぞれ設けられている。言い換えると、導光部材３４は複数設けられている。導光部材３４は、照明装置３において発光部を構成する。発光部は光を発する部分である。第１の照明具３１の導光部材３４は、第１の扉部２２１と第２の扉部２２２との間に配置されている。第２の照明具３２の導光部材３４は、第２の扉部２２２と第３の扉部２２３との間に配置されている。すなわち、導光部材３４は、第二鏡２３２の左右両端部に配置されている。言い換えると、照明装置３の発光部は、鏡体２３の中央を挟むよう左右方向に離間して配置されている。導光部材３４は、入射面３４１と、光拡散部３４２と、出射面３４３とを備えている。
【００２８】
入射面３４１は、図２に示されるように、導光部材３４の長手方向の端面に設けられている。本実施形態の入射面３４１は、導光部材３４の下方側の端面に設けられている。言い換えると、入射面３４１は、長手方向の一端面に設けられている。入射面３４１は、発光体３３から発せられた光が導光部材３４内に入射するための面である。
【００２９】
光拡散部３４２は、導光部材３４の背面側（後方側）の面に設けられている。光拡散部３４２は、入射面３４１から導光部材３４内に入射した光を導光部材３４内で拡散させる。光拡散部３４２は、導光部材３４の長手方向において入射面３４１から離れる側に向かうほど、幅広となるよう形成されている。本実施形態の光拡散部３４２は、正面視三角形状に形成されている。光拡散部３４２は、例えば、シボ加工や、ドット印刷などにより形成される。
【００３０】
出射面３４３は、導光部材３４の正面側（前方側）の面に設けられている。言い換えると、出射面３４３は、光拡散部３４２とは反対側の面に設けられている。出射面３４３は、光拡散部３４２により拡散した光が導光部材３４内から出射するための面である。出射面３４３は、出射した光が第二鏡２３２に近接した顔を照らすことができる方向に向けられている。本実施形態において出射面３４３は、前方斜め中央側に臨んでいる。
【００３１】
発光体３３は、導光部材３４の長手方向の下方側の端部に配置されている。言い換えると、発光体３３は、各導光部材３４に対応するよう設けられている。発光体３３は、指向性を有している。発光体３３の発光方向の先端側は、入射面３４１に臨んでいる。これにより、発光体３３から発せられた光は、入射面３４１から導光部材３４内に入射するようになっている。発光体３３は、例えば、ＬＥＤ（Light Emitting Diode）により構成されている。
【００３２】
照明装置３は、保持具３５を備えている。保持具３５は、発光体３３を導光部材３４の端部に固定する。
【００３３】
発光体３３から光が発せられると、その光は、入射面３４１を介して導光部材３４内に入射する。入射面３４１から入射した光は、導光部材３４の内面に全反射を繰り返し、導光部材３４の長手方向において入射面３４１とは反対側の端面に向かって進行する。進行する光の大部分は、光拡散部３４２に反射して拡散する。光拡散部３４２により拡散した光は、出射面３４３に向かって反射する。この後、光は、出射面３４３を介して導光部材３４から出射する。
【００３４】
照明装置３は、少なくとも、第１の照度と、第２の照度とに切り替え可能となっている。第２の照度は、第１の照度よりも照度が大きい。照明装置３は、制御装置４により、第１の照度から第２の照度へと切り替えられる。また、照明装置３は、制御装置４により、第２の照度から第１の照度へと切り替えられる。制御装置４は、発光体３３を制御することで、照明装置３から照射される光の照度を変化させる。
【００３５】
図１に示されるように、本実施形態の洗面化粧台１には、位置検知手段７が設けられている。位置検知手段７は、使用者の位置を検知する。位置検知手段７は、使用者の位置を検知する位置検出センサーであってもよいし、使用者とセンサーとの間の距離を測定しこれにより使用者の位置を検知する測距センサーであってもよい。また位置検知手段７は、使用者が所定領域（鏡体２３に近接した領域）に侵入したことを検知する焦電センサーであってもよい。なお、本実施形態の位置検知手段７には、センサーと使用者との間の距離を検知する距離センサー７０が用いられている。
【００３６】
位置検知手段７は、ミラーキャビネット２２の上端部に設けられている。位置検知手段７は、キャビネット２１の天板２１１の前端に沿って設けられている。位置検知手段７は、ミラーキャビネット２２の左右方向の略中央に設けられている。
【００３７】
位置検知手段７は、使用者の位置を検知すると、その検知信号を制御装置４に出力する。
【００３８】
制御装置４は、位置検知手段７から検知信号が入力されると、この検知信号に基づいて照明装置３を制御する。制御装置４は、図３に示されるように、比較部４１と、設定値メモリ４２と、照度制御部４３とを備えている。制御装置４は、例えば、マイクロプロセッサを主構成要素とするマイクロコンピュータにより構成されている。
【００３９】
設定値メモリ４２には、予め、設定値が記憶されている。設定値は、位置検知手段７により検知される検知信号に対して、照度を変更するための閾値である。設定値メモリ４２は、例えば、不揮発性メモリにより構成される。設定値メモリ４２は、この記憶された設定値を、比較部４１に出力する。
【００４０】
比較部４１には、設定値メモリ４２から設定値が入力される。また、比較部４１は、位置検知手段７から検知情報が入力される。比較部４１は、設定値メモリ４２から入力された設定値と、位置検知手段７から入力された検知値とを比較する。比較部４１は、検知値と設定値とを比較して、その大小関係の信号（比較信号）を照度制御部４３に出力する。
【００４１】
照度制御部４３は、比較部４１から比較信号が入力されると、その比較信号に基づいて制御装置４を制御する。照度制御部４３は、検知値が設定値よりも小さくなると（使用者が所定の位置よりも位置検知手段７に近付くと）、照明装置３を第２の照度で発光させる。また、照度制御部４３は、検知値が設定値以上になると（使用者が所定の位置よりも位置検知手段７から離れると）、照明装置３を第１の照度で発光させる。
【００４２】
なお、照明装置３の照度を変化させる方式は、例えば、可変抵抗器を用いて調光するアナログ調光方式を用いてもよいし、パルス幅変調（PWM:Pulse Width Modulation）調光方式を用いてもよく、特に限定されない。
【００４３】
また、位置検知手段７からの検知値が比較部４１に入力されない場合、照度制御部４３は、照明装置３をＯＦＦさせる。言い換えると、制御装置４は、鏡体２３の前方に使用者がいなくなると、照明装置３を消灯させる。
【００４４】
次に、本実施形態の洗面化粧台１の動作を説明する。
【００４５】
使用者が照明装置３をＯＮすると、位置検知手段７が使用者の位置を検知する。位置検知手段７は、検知した検知信号を、比較部４１に出力する。検知信号が入力された比較部４１は、設定値メモリ４２から設定値を取得する。比較部４１は、検知値と設定値とを比較する。比較部４１は、その比較信号を照度制御部４３に出力する。照度制御部４３は、入力された比較信号に基づいて照明装置３を制御する。
【００４６】
このとき、使用者が、位置検知手段７に対し所定の位置よりも離れていると、制御装置４は、使用者が鏡体２３から一定以上離れていると判断する。すると、制御装置４は、照明装置３を第１の照度で発光させる。
【００４７】
次に、使用者が鏡体２３側に近づき、位置検知手段７に対し所定の位置よりも近付くと、制御装置４は、使用者が鏡体２３に近接したと判断する。すると、制御装置４は、照明装置３を、第１の照度から第２の照度へと切り替えるよう制御する。言い換えると、制御装置４は、使用者が鏡体２３に近づくほど、光の照度を上げるよう照明装置３を制御する。
【００４８】
また、使用者が、鏡体２３から離れる方向に移動し、鏡体２３に対し所定の位置よりも離れると、制御装置４は、照明装置３を、第２の照度から第１の照度へと切り替えるよう制御する。
【００４９】
本実施形態の洗面化粧台１は、図１に示されるように、洗面ボウル５と、下部キャビネット６とを備えている。洗面ボウル５は、ミラーキャビネット２２の下方に設けられている。言い換えると、鏡体２３は、洗面ボウル５の上方に配置されている。また、洗面ボウル５は、椀状に形成されている。洗面ボウル５の上方には、水栓５１が設けられている。洗面ボウル５は、水栓５１から吐出された湯水を受ける。洗面ボウル５の前端は、鏡面２４よりも前方に位置している。
【００５０】
下部キャビネット６は、複数の引出部６１を有している。下部キャビネット６の上方には、洗面ボウル５が配置されている。下部キャビネット６の前端は、鏡面２４よりも前方に位置している。
【００５１】
このように本実施形態の照明付き鏡装置は、鏡体２３と、照明装置３とを備えている。鏡体２３は、前面に鏡面２４を有する。照明装置３は、鏡体２３の前方に向かって光を発する。また照明付き鏡装置は、位置検知手段７と、制御装置４とを備えている。位置検知手段７は、使用者の位置を検知する。制御装置４は、位置検知手段７の検知信号に基づいて照明装置３を制御する。これにより制御装置４は、照明装置３から発せられる光の照度を変化させる。制御装置４は、使用者が鏡体２３に近付くほど、光の照度を上げるよう照明装置３を制御する。
【００５２】
本実施形態の照明付き鏡装置は、使用者が顔の細部を見ようとして鏡面２４に近付くと、自動的に照明装置３の光の照度を上げる。これにより、使用者は、自ら照度を上げる操作をしなくても、照明装置３の光の照度を上げることができ、顔の細部をはっきりと鮮明に見ることができる。
【００５３】
また、本実施形態の照明装置３は、発光部を有している。発光部は、上下方向に長く形成されている。発光部は、鏡体２３の前方に向かって発光する。発光部は複数設けられている。発光部は、鏡体２３の中央を挟むよう左右方向に離間して配置されている。
【００５４】
このように本実施形態の照明付き鏡装置は、鏡体２３の上部から使用者に向かって光を発するものではなく、鏡体２３の中央を挟むよう左右方向に離間して配置されたものである。このため、使用者は、鏡体２３の中央に近づいて顔を見ようとした場合に照度が上がったとしても、発光部を直視しないため眩しくない。しかも、このとき、使用者の顔に光を十分に当てることができるため、使用者は顔を鮮明に見ることができる。
【００５５】
また本実施形態の照明装置３は、導光部材３４と、発光体３３とを備えている。導光部材３４は、上下方向に長く形成されている。導光部材３４は鏡体２３の中央を挟むよう左右方向に離間して配置されている。導光部材３４は発光部を構成する。発光体３３は、各導光部材３４に対応するよう設けられている。導光部材３４は、入射面３４１と、光拡散部３４２と、出射面３４３とを有している。入射面３４１は、導光部材３４の長手方向の一端面に設けられている。入射面３４１は、発光体３３から発せられた光が導光部材３４内部に入射する。光拡散部３４２は、導光部材３４の背面側に設けられている。光拡散部３４２は入射面３４１から入射した光を拡散させる。出射面３４３は、導光部材３４の正面側に設けられている。出射面３４３は、光拡散部３４２により拡散した光が出射する。制御装置４は、発光体３３を制御することで、照明装置３から発せられる光の照度を変化させる。
【００５６】
このように本実施形態の照明付き鏡装置は、導光部材３４が、鏡体２３の中央を挟むよう左右方向に離間して配置されているため、使用者が鏡面２４に顔を近づけた場合には、導光部材３４を顔の側方に位置させることができる。すなわち、使用者が鏡面２４に顔を近づけたとしても、照明装置３を直視しない位置に配置することができる。しかも本実施形態の導光部材３４は、上下方向に長くなっており、これにより上下方向に長い直線状の光を発するものである。このため、照明時において、使用者の顔に影が形成されにくい。
【００５７】
また、本実施形態の照明装置３は、第１の照度から第２の照度へと切り替え可能となっている。制御装置４は、使用者が所定の位置よりも鏡体２３に近づくと、第１の照度から第２の照度へと切り替えるよう照明装置３を制御する。
【００５８】
このため、本実施形態の照明付き鏡装置は、使用者が所定の位置よりも鏡体２３から離れている場合には、使用者の位置によらず照度を変えないようにできる。これにより、本実施形態の照明付き鏡装置は、使用者が鏡面２４に近づいて顔の細部を見たい場合以外の、制御装置４が照明装置３の光の照度を変化させてしまうケースを減らすことができる。
【００５９】
さらに、本実施形態の照明装置３は、鏡体２３の中央を挟む左右両側に、上下方向に長い導光部材３４が設けられている。このような照明装置３を有する鏡装置では、使用者が鏡体２３から離れた位置にいるときに照度を上げると、使用者は照明の光を直視してしまいやすいため、眩しく感じてしまう。しかしながら、本実施形態の照明付き鏡装置は、使用者が、鏡体２３に対し、所定の位置より離れている場合に、制御装置４が、光の照度を下げるよう照明装置３を制御するため、使用者の感じる眩しさを和らげることができる。
【００６０】
本実施形態の照明付き鏡装置は、キャビネット２１を備えている。キャビネット２１の前面には開閉自在な扉体２２が設けられている。鏡体２３は、扉体２２の前面に設けられている。
【００６１】
このように本実施形態の照明付き鏡装置は、キャビネット２１を有しているため、キャビネット２１の内部に収納物を収納することができる。
【００６２】
また本実施形態の照明付き鏡装置は、洗面ボウル５を備えている。洗面ボウル５の前端は、鏡体２３の鏡面２４よりも前方に位置している
このため本実施形態の照明付き鏡装置によれば、使用者が鏡面２４に近接するには、使用者が鏡面２４に向かって顔を突き出さなければならない。すなわち、本実施形態の照明付き鏡装置によれば、使用者が顔の細部を見たいという意図を持って鏡面２４に近接しない限り、照度を上げないようにすることができる。
【００６３】
また、本実施形態の制御装置４は、位置検知手段７が使用者を検知しないと、照明装置３を消灯させる。このため、本実施形態の照明付き鏡装置によれば、照明装置３の消し忘れを防止できる。
【００６４】
なお、本実施形態の照明付き鏡装置は、使用者が所定の位置よりも鏡体２３に近づくと、照明装置３の照度を第１の照度から第２の照度へと切り替えるものであった。この点について、本発明においては、使用者が鏡体に近付くほど、照度を連続的に上げるよう照明装置を制御するものであってもよい。つまり、鏡体と使用者との間の距離に応じて連続的に照度を変化させるものであってもよい。
【００６５】
また、照度を変化させるための設定値（閾値）を複数設定して、照明装置３の光の照度を段階的に変化させてもよい。
【００６６】
また、本実施形態の照明装置３は、光を前方に向かって発するものであったが、本発明において照明装置は、例えば、鏡面に向かって光を発し、この鏡面に反射した光で使用者を照らすようにしたものであってもよい。
【００６７】
また、本実施形態の照明装置３は、導光部材を用いて直線状に連続した光を発する、いわゆるライン照明であったが、本発明の照明装置は、点状の複数の発光体が上下方向に直線状に並べられたものでもよい。
【符号の説明】
【００６８】
１      洗面化粧台
２      ミラーキャビネット
２１    キャビネット
２１０  背板
２１１  天板
２１２  側板
２１３  底板
２２    扉体
２２１  第１の扉部
２２２  第２の扉部
２２３  第３の扉部
２３    鏡体
２３１  第一鏡
２３２  第二鏡
２３３  第三鏡
２４    鏡面
３      照明装置
３１    第１の照明具
３２    第２の照明具
３３    発光体
３４    導光部材
３４１  入光面
３４２  光拡散部
３４３  出射面
３５    保持具
４      制御装置
４１    比較部
４２    設定値メモリ
４３    照度制御部
５      洗面ボウル
５１    水栓
６      下部キャビネット
６１    引出部
７      位置検知手段
７０    距離センサー
【図１】
2013255687.tif 000003
【図２】
2013255687.tif 000004
【図３】
2013255687.tif 000005